(57)【要約】【課題】監視カメラで撮影した画像を、予め登録している転送先に、ファクシミリ送信や電子メール送信することにより、外部からの侵入者や複写機の不正使用等を監視することができるデジタル複写複合機を提供する。【解決手段】ＷＥＢカメラ２の撮影画像の転送先を登録するとともに、ファクシミリ送信あるいは電子メール送信のいずれかの転送方法を選択設定する監視画像転送設定手段と、上記通信ネットワークを介して上記ＷＥＢカメラ２をアクセスする毎に、上記ＷＥＢカメラ２で撮像された撮影画像の変化を検出し、変化があったときには、その撮影画像を上記監視画像転送設定手段によって選択設定された転送方法によって、上記登録された転送先に転送させる制御手段１とを備えている。【選択図】図１
2005151225.tif 000002
【特許請求の範囲】
【請求項１】
ＷＥＢカメラを接続した通信ネットワークに接続されたデジタル複写複合機であって、
ＷＥＢカメラの撮影画像の転送先を登録するとともに、ファクシミリ送信あるいは電子メール送信のいずれかの転送方法を選択設定する監視画像転送設定手段と、
上記通信ネットワークを介して上記ＷＥＢカメラをアクセスする毎に、ＷＥＢカメラで撮像された撮影画像の変化を検出し、変化があったときには、その撮影画像を上記監視画像転送設定手段によって選択設定された転送方法によって、上記登録された転送先に転送させる制御手段とを備えたデジタル複写複合機。
【請求項２】
動体センサと、監視カメラと、
この監視カメラの駆動を許容する稼動時間帯と、上記監視カメラによる撮影画像の転送先と、ファクシミリ送信、電子メール送信のいずれかの選択方法を選択設定する監視画像転送設定手段と、
上記動体センサが作動したときに、上記監視カメラを駆動して監視画像を取り込み、取り込んだ撮影画像を上記監視画像転送設定手段によって選択設定された転送方法によって、上記登録された転送先に転送させる制御手段とを備えたデジタル複写複合機。
【請求項３】
請求項１または２において、
上記制御手段は、上記監視画像転送設定手段によって設定された転送先に撮影画像を転送した後に、転送した撮影画像を印字出力、あるいは記憶手段に記憶保存させる構成にしている、デジタル複写複合機。
【発明の詳細な説明】
【技術分野】
【０００１】
本発明は、外部からの侵入等やデジタル複写複合機の不正使用等を監視する監視カメラを搭載若しくは、接続可能とするデジタル複写複合機に関するものである。
【背景技術】
【０００２】
従来より、監視カメラの撮影画像をファクシミリ装置等に取り込み、監視するシステムが種々考案されている。例えば、ファクシミリ装置側で、離れた場所に設置した監視カメラの電源コントロールを可能とし、監視カメラからファクシミリアダプタを介してファクシミリ装置へ撮影画像を送信するもの（特許文献１）や、玄関インターホンの呼出、火災報知器の異常等を検知したときに、所定の場所に設置される監視カメラの撮影画像をシステム制御器なるものを介してファクシミリ装置へ撮影映像を送信するもの（特許文献２）がある。
【特許文献１】特開平５−２３６１８８号公報
【特許文献２】特開平８−３２７４４号公報
【発明の開示】
【発明が解決しようとする課題】
【０００３】
しかしながら、このような監視カメラは、通信プロトコルが発達していなかった通信環境の中で通信制御をしようとするものなので、上述のような専用の通信制御機器を要するため、コストがかかり、また通信制御機器の設置場所を必要とするものである。
【０００４】
また特許文献１は、監視カメラの撮影画像をファクシミリ装置側でファクシミリ受信できるというものにすぎず、ファクシミリ装置から離れた場所では、監視カメラの撮影状況を知ることができないという問題があった。
さらに特許文献２は、ファクシミリ装置側から監視カメラの作動時間を予め設定できる構成でないため、例えば監視状態にする場合はその都度、切換設定する必要であり、画像通信手段としては、ファクシミリによるものしか想定されていない。
【０００５】
本発明は、このような事情に鑑みてなされたものであり、監視カメラで撮影した画像を、予め登録している転送先に、ファクシミリ送信や電子メール送信することにより、外部からの侵入者や複写機の不正使用等を監視することができる、デジタル複写複合機を提供することを目的としている。
【課題を解決するための手段】
【０００６】
上記目的を達成するために提案される請求項１は、ＷＥＢカメラを接続した通信ネットワークに接続されたデジタル複写複合機であって、ＷＥＢカメラの撮影画像の転送先を登録するとともに、ファクシミリ送信あるいは電子メール送信のいずれかの転送方法を選択設定する監視画像転送設定手段と、上記通信ネットワークを介して上記ＷＥＢカメラをアクセスする毎に、ＷＥＢカメラで撮像された撮影画像の変化を検出し、変化があったときには、その撮影画像を上記監視画像転送設定手段によって選択設定された転送方法によって、上記登録された転送先に転送させる制御手段とを備えたデジタル複写複合機を提案する。
【０００７】
請求項２では、動体センサと、監視カメラと、この監視カメラの駆動を許容する稼動時間帯と、監視カメラによる撮影画像の転送先と、ファクシミリ送信、電子メール送信のいずれかの選択方法を選択設定する監視画像転送設定手段と、上記動体センサが作動したときに、上記監視カメラを駆動して監視画像を取り込み、取り込んだ撮影画像を上記監視画像転送設定手段によって選択設定された転送方法によって、上記登録された転送先に転送させる制御手段とを備えたデジタル複写複合機を提案する。
【０００８】
請求項３では、請求項１または２において、上記制御手段は、上記監視画像転送設定手段によって設定された転送先に撮影画像を転送した後に、転送した撮影画像を印字出力、あるいは記憶手段に記憶保存させる構成にしているデジタル複写複合機を提案する。
【発明の効果】
【０００９】
請求項１に記載の発明によれば、画像の変化を検出すると、予めユーザの希望する転送先および転送方法に撮影画像を転送できるので、ユーザの希望に沿った柔軟な監視体制が実現できる。また、撮影画像の変化を検出して、変化があったときに、異常が発生したとみなして転送を行なうので、無駄な転送を少なくすることができる。
【００１０】
請求項２に記載の発明によれば、監視カメラの稼動時間帯を設定できるとともに、稼動時間帯にあわせて、ユーザの希望する転送先、および転送方法を設定できるので、監視カメラの稼動時間に応じた柔軟な監視体制が実現できる。また、動体センサが作動すると、異常が発生したとみなして転送を行なうので、無駄な転送を少なくすることができる。
【００１１】
請求項３に記載の発明によれば、監視カメラの撮影画像を印字出力あるいはハードディスク等に記録保存して、転送記録として残しておくことができ、セキュリティ監視情報として利用できる。
【発明を実施するための最良の形態】
【００１２】
以下に、本発明の実施の形態について説明する。
【実施例１】
【００１３】
図１は、本発明のデジタル複写複合機１の概念図の一例である。１はデジタル複写複合機で、コピー、ファクシミリ、プリンタ、メール送信機能を備えている。２は外部からの侵入等を監視する監視カメラで、ここではＷＥＢカメラを示している。デジタル複写複合機１とＷＥＢカメラ２とは、ネットワーク接続Ｎ１されている。ＷＥＢカメラ２は、ＣＣＤを搭載したウェブサーバーカメラが適しており、これによれば、デジタル複写複合機１とＬＡＮ接続が可能である。よってデジタル複写複合機１は撮影された画像データをＭＰＥＧ、ＪＰＥＧ等として圧縮したファイルとして取り込むことができる。またデジタル複写複合機１はインターネットＮ２とも接続され、メール送信機能を備えているため、外部装置ＰＣとの通信を可能とし、電話回線Ｌと接続されているため、ファクシミリ送信することができる。
【００１４】
またここでは図示していないが、ＷＥＢカメラ２には限られず、動体を検出する動体センサＳと接続され（内蔵されていてもよい。）、動体センサＳの検知により駆動する構成とする監視カメラ（２’）でもよい。この場合、動体センサＳは、赤外線、超音波、電波等いずれの検出方法でもよい。このような動体センサＳ、監視カメラ（２’）を備えたデジタル複写複合機については実施例２として、後述する。
【００１５】
さらに動体センサＳを備えていない監視カメラ（２’）の場合は、所定の監視カメラ（２’）稼動時間帯の内、ある時間帯がくれば駆動するといった構成としても本発明は適用可能である。これについては実施例３として後述する。
【００１６】
図２は、本発明に係るデジタル複写複合機１の基本構成の一例を示すブロック図である。
【００１７】
図中、１０は以下の各部を制御するＣＰＵ等で構成された制御部、２０は通信回線Ｌへの網制御を行うＮＣＵ、３０は画像データをファクシミリ通信するために信号の変調・復調を行うモデム、４０は制御プログラムを記憶しているＲＯＭ、５０は可変情報や印字出力情報を記憶するＲＡＭ（画像メモリ）、６０は原稿を読み取る原稿読取部、７０は液晶画面等で構成され、表示画面上のタッチスイッチ等で構成された操作表示部、８０は画像データ等を記録紙出力するプリンタ部、９０は電子メール通信等、インターネット通信を行うＬＡＮインターフェース、２はＷＥＢカメラである。
【００１８】
ＷＥＢカメラ２は、デジタル複写複合機１本体の適所に設けた通信コネクタ（ＵＳＢ）を介して接続付加されたものでもよいし、デジタル複写複合機１の例えば操作表示部７０に搭載してもよい。通信接続の場合は、上述のような有線接続に限られず、ＷＥＢカメラ２とデジタル複写複合機１とにワイヤレス送受信部（不図示）を設けて無線接続としてもよい。
【００１９】
このようにデジタル複写複合機１に搭載されているものであれば、デジタル複写複合機１自体を監視対象とすることができ、例えば、会社や店等が休日時のデジタル複写複合機１の使用状況を遠隔地で監視することができる。
【００２０】
また、デジタル複写複合機１は、ＷＥＢカメラ２を有線接続、無線接続することができるため、デジタル複写複合機１から離れた任意の場所を監視対象とすることができる。無線接続によれば、例えば容易に屋外に設置することもできる。
【００２１】
デジタル複写複合機１は、ＷＥＢカメラ２の撮影画像の転送先を登録するとともに、ファクシミリ送信あるいは電子メール送信のいずれかの転送方法を選択設定する監視画像転送設定手段（不図示）を備えている。監視画像転送設定手段は、この例では、制御部１０、操作部７０、ＲＡＭ５０の組み合わせにより構成しており、制御手段を構成する制御部１０は、ＬＡＮインターフェース９０を介して上記ＷＥＢカメラ２をアクセスする毎に、ＷＥＢカメラ２で撮像された撮影画像の変化を検出する画像処理動作をなすとともに、変化があったときには、その撮影画像を上記監視画像転送設定手段によって選択設定された転送方法によって、登録された転送先に転送する。
【００２２】
ここに、撮影画像の変化の検出は、ＷＥＢカメラ２を使用する場合、例えば、撮影画像をフレーム単位で順次比較してなされ、撮影画像がある程度の変化を示したときに、不審者の侵入などの環境変化（異常）があったと判断し、上記制御（撮影画像を予め登録した転送先に転送する。）を行なう。デジタル複写複合機１からＷＥＢカメラへのアクセスは、定期的に設定してよいし、予めアクセス時間を設定する構成としてもよい。
【００２３】
以上によれば、予めユーザの希望する転送先および転送方法を設定できるので、ユーザの希望に沿った柔軟な監視体制が実現できる。また、撮影画像の変化を検出して、変化があったときに、異常が発生したとみなして転送を行なうので、無駄な転送を少なくすることができる。
【００２４】
また本発明の制御部１０は、監視画像転送設定手段によって設定された転送先に撮影画像を転送した後に、転送した撮影画像を印字出力８０、あるいは記憶保存（ＲＡＭ５０やハードディスク）する構成とする。転送先、撮影時刻とともに、撮影画像を印字出力８０しておけば、転送記録として残しておくことでき、セキュリティ監視情報として利用、役立てることができる。また上記内容をデジタル複写複合機１に記憶保存（ＲＡＭ５０やハードディスク）しておき履歴情報等として操作表示部７０で適宜参照できる構成してもよい。
【００２５】
図３は、上記本発明の基本動作を説明するためのフローチャート（１００〜１１３）である。
【００２６】
デジタル複写複合機１は、ＷＥＢカメラ２にアクセスし、撮影画像を取り込み（１００）、撮影画像に変化があったと判別すると（１０１）、画像メモリ５０に取り込んで蓄積する（１０２）。監視画像転送設定手段によって、登録設定された転送先へファクシミリ送信（１０４）あるいは、撮影画像を添付して（１０９）、電子メール送信する（１１０）。所定の転送方法により、転送が成功したら（１０５、１１２）、転送した撮影画像等を印字出力する（１０６）。上記転送に失敗し、エラーとなった場合は、その旨を印字出力する（１０８、１１３）。
【００２７】
転送エラーの判別は、フローチャートでは例として、ファクシミリ送信の場合は、リダイヤル回数、電子メール送信の場合は、再送回数を設定しておき、その規定回数内に送信ができるか否かで転送エラー判別を行なうものを示している。
【００２８】
なお、図３のように転送した撮影画像等を印字出力させる他、上述のように、ＲＡＭ５０やハードディスクに記憶保存する構成としてもよい。このように、転送記録として残しておくことができれば、セキュリティ監視情報として利用できる。
【００２９】
電子メールによる送信の場合、画像データを添付せずに送信する構成としてもよいし、転送相手先によって、添付するか否かを設定できるようにしてもよい。例えば、画像データを添付しない場合は、その撮影画像の変化を検出した時刻と「異常を検知しました。現場確認下さい。」等の定型文のメッセージを送信する構成としてもよい。なお、添付ファイルは、静止画に限られず、動画としてもよい。以上によれば、転送先に応じた柔軟な監視体制が実現できる。
【実施例２】
【００３０】
次に、上述のようにネットワーク接続機能を備えていない場合の本発明の適用例として監視カメラ２’を用いた実施例を説明する。
【００３１】
図４は、本発明に係るデジタル複写複合機１’の基本構成の一例を示すブロック図である。図中、１０は以下の各部を制御するＣＰＵ等で構成された制御部、２０は通信回線Ｌへの網制御を行うＮＣＵ、３０は画像データをファクシミリ通信するために信号の変調・復調を行うモデム、４０は制御プログラムを記憶しているＲＯＭ、５０は可変情報や印字出力情報を記憶するＲＡＭ（画像メモリ）、６０は原稿を読み取る原稿読取部、７０は液晶画面等で構成され、表示画面上のタッチスイッチ等で構成された操作表示部、８０は画像データ等を記録紙出力するプリンタ部、９０は電子メール通信等、インターネット通信を行うＬＡＮインターフェースである。
【００３２】
監視カメラ２’は、デジタル複写複合機１’本体の適所に設けた通信コネクタ（カメラＩ／Ｆ２’ａ）を介して接続付加されたものでもよいし、デジタル複写複合機１’の例えば操作表示部７０に搭載してもよい。通信接続の場合は、上述のような有線接続Ｎに限られず、監視カメラ２’とデジタル複写複合機１’とにワイヤレス送受信部（不図示）を設けて無線接続としてもよい。
【００３３】
このようにデジタル複写複合機１’に搭載されているものであれば、デジタル複写複合機１’自体を監視対象とすることができ、例えば、会社や店等が休日時のデジタル複写複合機１’の使用状況を遠隔地で監視することができる。
【００３４】
また、デジタル複写複合機１’は、監視カメラ２’を有線接続、無線接続することができるため、デジタル複写複合機１’から離れた任意の場所を監視対象とすることができる。無線接続によれば、例えば容易に屋外に設置することもできる。
【００３５】
さらに、実施例２のデジタル複写複合機１’は動体センサＳを備えており、この動体センサＳの検知により、監視カメラ２’が駆動する構成とする。動体の検出方法は、赤外線、超音波、電波等、何れの方法でもよい。
制御部１０は、監視カメラ２’の駆動を許容する稼動時間帯と、監視カメラ２’による撮影画像の転送先と、転送方法とを設定する監視画像転送設定手段（不図示）を備えている。    この例でも、監視画像転送設定手段は、制御部１０、操作部７０、ＲＡＭ５０の組み合わせにより構成している。
【００３６】
以上の構成により、本発明は以下の動作を可能とする。まず、監視カメラ２’は、予め設定された稼動時間帯に動体センサＳが人（動体）を検知すると撮影された撮影画像を画像データとしてデジタル複写複合機１に送出する。監視カメラ２’から送出された画像データを、画像メモリ（ＲＡＭ５０）に取り込み、その後上記監視画像転送設定手段によって、予め設定された転送先に登録設定された転送方法（ファクシミリ送信若しくは、電子メール）で転送相手に監視カメラ２’の撮影状況を知らせる。
【００３７】
ここで監視カメラ２’の稼動時間は操作表示部７０より設定変更可能である。
以上、これによれば、監視カメラ２’の稼動時間帯を設定できるとともに、稼働時間帯にあわせて、ユーザの希望する転送先および転送方法を設定できるので、監視カメラ２’の稼動時間に応じた柔軟な監視体制を実現できる。また監視カメラ２’は動体センサＳが人（動体）を検知したときに、異常があったとみなして駆動するため、無駄な転送を少なくすることができる。
【００３８】
また上記制御部１０は、上記監視画像転送設定手段によって設定された転送先に撮影画像を転送した後に、転送した撮影画像を印字出力８０、あるいは記憶保存（ＲＡＭ５０やハードディスク）する構成とする。
転送先、撮影時刻とともに、撮影画像を印字出力８０しておけば、転送記録として残しておくことでき、セキュリティ監視情報として利用、役立てることができる。また上記内容をデジタル複写複合機１’に記憶保存（ＲＡＭ５０やハードディスク）しておき履歴情報等として操作表示部７０で適宜参照できる構成してもよい。
【００３９】
図５は、上記本発明の基本動作を説明するためのフローチャート（２００〜２１４）である。
【００４０】
動作センサＳが動体を検知すると（２００）、監視カメラ２’が駆動し（２０１）、監視画像が撮影されると、その撮影画像を画像メモリ５０に取り込んで（２０２）蓄積する（２０３）。監視画像転送設定手段によって、登録設定された転送先へファクシミリ送信（２０５）あるいは、撮影画像を添付して（２１０）、電子メール送信する（２１１）。所定の転送方法により、転送が成功したら（２０６、２１３）、転送した撮影画像等を印字出力する（２０７）。上記転送に失敗し、エラーとなった場合は、その旨を印字出力する（２０９、２１４）。
【００４１】
転送エラーの判別は、フローチャートでは例として、ファクシミリ送信の場合は、リダイヤル回数、電子メール送信の場合は、再送回数を設定しておき、その規定回数内に送信ができるか否かで転送エラー判別を行なうものを示している。
なお、転送した撮影画像等を印字出力させる他、上述のように、ＲＡＭ５０やハードディスクに記憶保存する構成としてもよい。このように、転送記録として残しておくことができれば、セキュリティ監視情報として利用できる。
【００４２】
電子メールによる送信の場合、画像データを添付せずに送信する構成としてもよいし、転送相手先によって、添付するか否かを設定できるようにしてもよい。例えば、画像データを添付しない場合は、動体を検知した時刻と「異常を検知しました。現場確認下さい。」等の定型文のメッセージを送信する構成としてもよい。なお、添付ファイルは、静止画に限られず、動画としてもよい。以上によれば、転送先に応じた柔軟な監視体制が実現できる。
【実施例３】
【００４３】
上記発明においては、監視カメラ２’は動体センサＳが動体（人）を検知すると駆動し、デジタル複写複合機１’は、制御手段によって、その撮影画像を画像メモリ５０に取り込む構成としているが、これに限られず、画像メモリに撮影画像を取り込む時間を予め設定する構成としてもよい。
【００４４】
すなわち、例えば監視カメラ２’の稼動時間帯を夜間２２時〜翌６時とした場合、毎一時間おきに撮影された監視画像を取り込み、監視画像転送設定手段により、登録設定された転送先へファクシミリ画像、あるいは電子メールの添付ファイルとして転送させるというものである。これによれば、動体センサＳを搭載しているか否かにかかわらず、本発明を適用とすることができる。
【００４５】
なお、実施例３の構成については、実施例２において動体センサＳを備えてない構成とする以外は、同様であるので、説明は省略する。
【図面の簡単な説明】
【００４６】
【図１】本発明のデジタル複写複合機の概念図の一例である。
【図２】本発明に係るデジタル複写複合機の基本構成の一例を示すブロック図である。
【図３】本発明の基本動作を説明するためのフローチャートである。
【図４】本発明に係るデジタル複写複合機の基本構成の一例を示すブロック図である。
【図５】本発明の基本動作を説明するためのフローチャートである。
【符号の説明】
【００４７】
１（１’）・・・デジタル複写複合機
２・・・ＷＥＢカメラ
２’・・・監視カメラ
２ａ・・・カメラ/ＩＦ
１０・・・制御部
９０・・・ＬＡＮインターフェース
Ｓ・・・動体センサ
【図１】
2005151225.tif 000003
【図２】
2005151225.tif 000004
【図３】
2005151225.tif 000005
【図４】
2005151225.tif 000006
【図５】
2005151225.tif 000007